(57)【要約】  【課題】  特に、タイマー録画予約する際に、記録可能時間を増加させることができ、また、記録するときの画質や音質の設定も考慮して、記録可能時間を増加させることができる情報記録再生装置を提供する。  【解決手段】  第２の記録延長処理部では、第１の記録延長処理部により記録延長処理を行うことが選択された場合は、記録延長処理を行う記録データに関して現在の記録ビットレートが変換可能ビットレートよりも大きいと記録ビットレート判定手段により判定され、且つ、空き容量判定手段により空き容量が記録データの必要容量以上であると判定されたとき、当該記録媒体の空き容量に対応する領域には新たなデータが第２の記録手段により記録される。したがって、記録するときの画質や音質の設定も考慮して記録可能時間を増加させることができ、ユーザにとっては更に使い勝手が良くなる。【選択図】      図３
2006236541.tif 000002
【特許請求の範囲】
【請求項１】
所望のテレビ番組の記録予約を行うタイマー予約機能を有し、記録媒体としての光ディ
スクまたは／およびハードディスクに対して情報の記録／再生を行う情報記録再生装置に
おいて、所望のテレビ番組のタイマー予約が設定されたとき、前記タイマー予約されたテ
レビ番組を記録するために必要な容量分の残量が当該記録媒体に有るか否かを判定する残
量判定手段と、この残量判定手段により当該記録媒体の容量が残量不足であると判定され
たとき、当該記録媒体に既に記録されている全ての記録データが最低ビットレートのデー
タであるかを判定する最低ビットレート判定手段と、この最低ビットレート判定手段によ
り前記全ての記録データが最低ビットレートのデータでないと判定されたとき、最低ビッ
トレートでない記録データを現在のビットレートよりも低いビットレートに変換するビッ
トレート変換手段と、前記ビットレートの変換の結果得られた空き容量に対応する領域に
新たなデータを記録させる記録手段とを有する記録延長処理部を備えたことを特徴とする
情報記録再生装置。
【請求項２】
所望のテレビ番組の記録予約を行うタイマー予約機能を有し、記録媒体としての光ディ
スクまたは／およびハードディスクに対して情報の記録／再生を行う情報記録再生装置に
おいて、
所望のテレビ番組のタイマー予約が設定されたとき、前記タイマー予約されたテレビ番
組を記録するために必要な容量分の残量が当該記録媒体に有るか否かを判定する残量判定
手段と、この残量判定手段により当該記録媒体の容量が残量不足であると判定されたとき
に、当該記録媒体に既に記録されている全ての記録データが最低ビットレートのデータで
あるかを判定する最低ビットレート判定手段と、この最低ビットレート判定手段により前
記全ての記録データが最低ビットレートのデータでないと判定されたとき、最低ビットレ
ートでない記録データを現在のビットレートよりも低いビットレートに変換するビットレ
ート変換手段と、前記ビットレートの変換の結果得られた空き容量に対応する領域に新た
なデータを記録させる第１の記録手段とを有する第１の記録延長処理部と、
前記第１の記録延長処理部により記録延長処理を行うことが選択された場合は、記録延
長処理を行う記録データに関して現在の記録ビットレートが変換可能ビットレート以下で
あるか否かを判定する記録ビットレート判定手段と、この記録ビットレート判定手段によ
り現在の記録ビットレートが変換可能ビットレートよりも大きいと判定されたとき、当該
記録媒体の空き容量が記録データの必要容量以上であるか否かを判定する空き容量判定手
段と、この空き容量判定手段により空き容量が記録データの必要容量以上であると判定さ
れたとき、当該記録媒体の空き容量に対応する領域に新たなデータを記録させる第２の記
録手段と有する第２の記録延長処理部とを備えたことを特徴とする情報記録再生装置。
【請求項３】
所望のテレビ番組の記録予約を行うタイマー予約機能を有し、記録媒体としての光ディ
スクまたは／およびハードディスクに対して情報の記録／再生を行う情報記録再生装置に
おいて、所望のテレビ番組のタイマー予約が設定されたとき、当該記録媒体の容量が残量
不足であると判定され、且つ、当該記録媒体に既に記録されている全ての記録データが最
低ビットレートのデータでないと判定されたとき、最低ビットレートでない記録データを
現在のビットレートよりも低いビットレートに変換し、変換の結果得られた空き容量に対
応する領域に新たなデータを記録させる記録延長処理部を備えたことを特徴とする情報記
録再生装置。
【請求項４】
所望のテレビ番組の記録予約を行うタイマー予約機能を有し、記録媒体としての光ディ
スクまたは／およびハードディスクに対して情報の記録／再生を行う情報記録再生装置に
おいて、
所望のテレビ番組のタイマー予約が設定されたとき、当該記録媒体の容量が残量不足で
あると判定され、且つ、当該記録媒体に既に記録されている全ての記録データが最低ビッ
トレートのデータでないと判定されたとき、最低ビットレートでない記録データを現在の
ビットレートよりも低いビットレートに変換し、変換の結果得られた空き容量に対応する
領域に新たなデータを記録させる第１の記録延長処理部と、
前記第１の記録延長処理部により記録延長処理を行うことが選択された場合は、記録延
長処理を行う記録データに関して現在の記録ビットレートが変換可能ビットレートよりも
大きいと判定され、且つ、空き容量が記録データの必要容量以上であると判定されたとき
、当該記録媒体の空き容量に対応する領域に新たなデータを記録させる第２の記録延長処
理部とを備えたことを特徴とする情報記録再生装置。
【請求項５】
前記記録延長処理部は、所望のテレビ番組のタイマー予約が設定されたとき、前記タイ
マー予約されたテレビ番組を記録するために必要な容量分の残量が当該記録媒体に有るか
否かを判定する残量判定手段と、この残量判定手段により当該記録媒体の容量が残量不足
であると判定されたとき、当該記録媒体に既に記録されている全ての記録データが最低ビ
ットレートのデータであるかを判定する最低ビットレート判定手段と、この最低ビットレ
ート判定手段により前記全ての記録データが最低ビットレートのデータでないと判定され
たとき、最低ビットレートでない記録データを現在のビットレートよりも低いビットレー
トに変換するビットレート変換手段と、前記ビットレートの変換の結果得られた空き容量
に対応する領域に新たなデータを記録させる記録手段とを有することを特徴とする請求項
３に記載の情報記録再生装置。
【請求項６】
前記第１の記録延長処理部は、所望のテレビ番組のタイマー予約が設定されたとき、前
記タイマー予約されたテレビ番組を記録するために必要な容量分の残量が当該記録媒体に
有るか否かを判定する残量判定手段と、この残量判定手段により当該記録媒体の容量が残
量不足であると判定されたときに、当該記録媒体に既に記録されている全ての記録データ
が最低ビットレートのデータであるかを判定する最低ビットレート判定手段と、この最低
ビットレート判定手段により前記全ての記録データが最低ビットレートのデータでないと
判定されたとき、最低ビットレートでない記録データを現在のビットレートよりも低いビ
ットレートに変換するビットレート変換手段と、前記ビットレートの変換の結果得られた
空き容量に対応する領域に新たなデータを記録させる第１の記録手段とを有し、
前記第２の記録延長処理部は、前記第１の記録延長処理部により記録延長処理を行うこ
とが選択された場合は、記録延長処理を行う記録データに関して現在の記録ビットレート
が変換可能ビットレート以下であるか否かを判定する記録ビットレート判定手段と、この
記録ビットレート判定手段により現在の記録ビットレートが変換可能ビットレートよりも
大きいと判定されたとき、当該記録媒体の空き容量が記録データの必要容量以上であるか
否かを判定する空き容量判定手段と、この空き容量判定手段により空き容量が記録データ
の必要容量以上であると判定されたとき、当該記録媒体の空き容量に対応する領域に新た
なデータを記録させる第２の記録手段と有することを特徴とする請求項４に記載の情報記
録再生装置。
【発明の詳細な説明】
【技術分野】
【０００１】
本発明は、所望のテレビ番組の記録予約を行うタイマー予約機能を有し、記録媒体とし
ての光ディスクまたは／およびハードディスクに対して情報の記録／再生を行う情報記録
再生装置に関する。
【背景技術】
【０００２】
近年、映像や音声などを記録するのに、ＣＤ（コンパクトディスク）やＤＶＤ（デジタ
ルバーサタイルディスク）などの光ディスク、あるいはハードディスクが用いられるよう
になってきている。それらの光ディスクに対して情報の記録／再生を行う情報記録再生装
置としては、ＤＶＤレコーダが知られている。また、ハードディスクに対して情報の記録
／再生を行う情報記録再生装置としては、ハードディスクレコーダが知られている。更に
、ＤＶＤレコーダにハードディスクが内蔵されたハードディスク付きＤＶＤレコーダも普
及してきている。
【特許文献１】特開平１１−１７６０９６号公報
【特許文献２】特開２０００−３４１６２７公報
【特許文献３】特開２００１−９４９３５号公報
【特許文献４】特開２００３−２３５００９号公報
【発明の開示】
【発明が解決しようとする課題】
【０００３】
ところで、このような情報記録再生装置は、テレビ番組を記録するのに用いられること
が多く、その記録可能時間は、光ディスクやハードディスクなど記録媒体の容量だけで決
まるのではなく、記録するときの画質や音質の設定（ビットレートの設定）によって変化
する。しかしながら、従来の情報記録再生装置では、記録可能時間は基本的には記録媒体
の容量に依存させていて、記録するときの画質や音質の設定（ビットレートの設定）を考
慮していないので、これ以上、記録可能時間を増加させることが難しいという課題があっ
た。
【０００４】
なお、特許文献１の従来技術では、録画済情報のうち一度再生した管理領域には再生済
フラグを立て、消したくない管理領域にはアーカイブフラグを立て、再生済フラグが立っ
ており、アーカイブフラグが立っていない管理情報だけを選択して、記録可能時間を拡大
するようにしている。しかし、この場合、消しても良い録画済情報を削除することで、記
録可能時間を拡大しているので、現在記録されている録画済情報を保存しながら、記録可
能時間を増加することができない。また、特に、タイマー記録予約（タイマー録画予約）
する際に、既に記録されている情報を残したまま記録可能時間を増加させるものではなく
、また、記録するときの画質や音質の設定を考慮して、記録可能時間を増加させるもので
はない。
【０００５】
特許文献２の従来技術では、記憶手段に記憶保存されている映像音声信号を予め定めら
れた所定の時間毎に、もしくは空き容量がなくなることが予測される時点でトランスコー
ド手段を作動させ記憶手段に記憶されている映像音声信号の容量を削減し、データを格納
するための空き容量を生成するようにしているが、また、この従来技術も、特に、タイマ
ー録画予約する際に、記録するときの画質や音質の設定も考慮して、記録可能時間を増加
させるものではない。
【０００６】
特許文献３の従来技術では、一旦符号化圧縮したデータを再度圧縮し直して記憶装置に
格納し、記憶装置の空き容量が予め指定した第１のパラメータ以下になった時に、記憶装
置にデータに対する符合化圧縮を行い、また、トランスコードする対象ファイルを選ぶ基
準としてユーザの指定する重要度を基準としている。即ち、この従来技術では、記憶装置
の空き容量が少なくなったときに符合化圧縮を行うが、この従来技術も、特に、タイマー
録画予約する際に、記録するときの画質や音質の設定を考慮して、記録可能時間を増加さ
せるものではない。
【０００７】
特許文献４の従来技術では、タイマー録画により情報記録媒体にデータを記録する場合
、予約された記録総時間分の番組が、記録しようとする未記録領域をオーバーフローする
とき、管理部は再圧縮フラグに従って再圧縮を実行し、また、ユーザが好みのジャンルの
順序を予め登録しておき、その順序に従って再圧縮フラグを管理部が自動的に設定するよ
うにしている。即ち、この従来技術では、予約された記録総時間分が未記録領域をオーバ
ーするとき再圧縮を行うが、この従来技術も、特に、タイマー録画予約する際に、記録す
るときの画質や音質の設定を考慮して、記録可能時間を増加させるものではない。
【０００８】
本発明は、上記のような課題を解決するためになされたもので、特に、タイマー録画予
約する際に、記録可能時間を増加させることができ、また、記録するときの画質や音質の
設定も考慮して、記録可能時間を増加させることができる情報記録再生装置を提供するこ
とを目的とする。
【課題を解決するための手段】
【０００９】
上記目的を達成するために、請求項１の発明は、所望のテレビ番組の記録予約を行うタ
イマー予約機能を有し、記録媒体としての光ディスクまたは／およびハードディスクに対
して情報の記録／再生を行う情報記録再生装置において、所望のテレビ番組のタイマー予
約が設定されたとき、前記タイマー予約されたテレビ番組を記録するために必要な容量分
の残量が当該記録媒体に有るか否かを判定する残量判定手段と、この残量判定手段により
当該記録媒体の容量が残量不足であると判定されたとき、当該記録媒体に既に記録されて
いる全ての記録データが最低ビットレートのデータであるかを判定する最低ビットレート
判定手段と、この最低ビットレート判定手段により前記全ての記録データが最低ビットレ
ートのデータでないと判定されたとき、最低ビットレートでない記録データを現在のビッ
トレートよりも低いビットレートに変換するビットレート変換手段と、前記ビットレート
の変換の結果得られた空き容量に対応する領域に新たなデータを記録させる記録手段とを
有する記録延長処理部を備えたことを特徴とする情報記録再生装置を提供する。
【００１０】
この構成において、所望のテレビ番組のタイマー予約が設定されたとき、前記タイマー
予約されたテレビ番組を記録するために必要な当該記録媒体の容量分の残量が残量不足で
あると残量判定手段により判定され、且つ、最低ビットレート判定手段により全ての記録
データが最低ビットレートのデータでないと判定されたとき、最低ビットレートでない記
録データが現在のビットレートよりも低いビットレートにビットレート変換手段により変
換される。そして、前記ビットレートの変換の結果得られた空き容量に対応する領域には
、新たなデータが記録手段により記録される。
【００１１】
この構成によれば、特に、タイマー録画予約する際に、当該記録媒体の残量が不足すれ
ば、最低ビットレートでない記録データが現在のビットレートよりも低いビットレートに
変換されるので、記録可能時間を増加させることができ、ユーザにとっては使い勝手が良
くなる。
【００１２】
請求項２の発明は、所望のテレビ番組の記録予約を行うタイマー予約機能を有し、記録
媒体としての光ディスクまたは／およびハードディスクに対して情報の記録／再生を行う
情報記録再生装置において、所望のテレビ番組のタイマー予約が設定されたとき、前記タ
イマー予約されたテレビ番組を記録するために必要な容量分の残量が当該記録媒体に有る
か否かを判定する残量判定手段と、この残量判定手段により当該記録媒体の容量が残量不
足であると判定されたときに、当該記録媒体に既に記録されている全ての記録データが最
低ビットレートのデータであるかを判定する最低ビットレート判定手段と、この最低ビッ
トレート判定手段により前記全ての記録データが最低ビットレートのデータでないと判定
されたとき、最低ビットレートでない記録データを現在のビットレートよりも低いビット
レートに変換するビットレート変換手段と、前記ビットレートの変換の結果得られた空き
容量に対応する領域に新たなデータを記録させる第１の記録手段とを有する第１の記録延
長処理部と、前記第１の記録延長処理部により記録延長処理を行うことが選択された場合
は、記録延長処理を行う記録データに関して現在の記録ビットレートが変換可能ビットレ
ート以下であるか否かを判定する記録ビットレート判定手段と、この記録ビットレート判
定手段により現在の記録ビットレートが変換可能ビットレートよりも大きいと判定された
とき、当該記録媒体の空き容量が記録データの必要容量以上であるか否かを判定する空き
容量判定手段と、この空き容量判定手段により空き容量が記録データの必要容量以上であ
ると判定されたとき、当該記録媒体の空き容量に対応する領域に新たなデータを記録させ
る第２の記録手段と有する第２の記録延長処理部とを備えたことを特徴とする情報記録再
生装置を提供する。
【００１３】
この構成において、第１の記録延長処理部では、所望のテレビ番組のタイマー予約が設
定されたとき、前記タイマー予約されたテレビ番組を記録するために必要な容量分の残量
が残量不足であると残量判定手段により判定され、且つ、最低ビットレート判定手段によ
り全ての記録データが最低ビットレートのデータでないと判定されたとき、最低ビットレ
ートでない記録データが現在のビットレートよりも低いビットレートにビットレート変換
手段により変換され、前記ビットレートの変換の結果得られた空き容量に対応する領域に
は、新たなデータが第１の記録手段により記録される。
【００１４】
この構成によれば、特に、タイマー録画予約する際に、当該記録媒体の残量が不足すれ
ば、最低ビットレートでない記録データが現在のビットレートよりも低いビットレートに
変換されるので、記録可能時間を増加させることができ、ユーザにとっては使い勝手が良
くなる。
【００１５】
この構成において、第２の記録延長処理部では、前記第１の記録延長処理部により記録
延長処理を行うことがユーザにより選択された場合は、記録延長処理を行う記録データに
関して現在の記録ビットレートが変換可能ビットレートよりも大きいと記録ビットレート
判定手段により判定され、且つ、空き容量判定手段により空き容量が記録データの必要容
量以上であると判定されたとき、当該記録媒体の空き容量に対応する領域には、新たなデ
ータが第２の記録手段により記録される。
【００１６】
この構成によれば、特に、タイマー録画予約する際に、前記第１の記録延長処理部によ
る記録延長処理を行うのに、記録するときの画質や音質の設定も考慮して行うことができ
るので、記録するときの画質や音質の設定も考慮して記録可能時間を増加させることがで
き、ユーザにとっては更に使い勝手が良くなる。特に、前記第１の記録延長処理部による
記録延長処理を行っても、特定のデータだけは、自動的にビットレートのレベル変換が行
われないようにプロテクトをかけることができ、また、記録品質を悪くする時の悪化する
ビットレートのレベルをユーザが決定することができ、使い勝手が向上する。
【００１７】
請求項３の発明は、所望のテレビ番組の記録予約を行うタイマー予約機能を有し、記録
媒体としての光ディスクまたは／およびハードディスクに対して情報の記録／再生を行う
情報記録再生装置において、所望のテレビ番組のタイマー予約が設定されたとき、当該記
録媒体の容量が残量不足であると判定され、且つ、当該記録媒体に既に記録されている全
ての記録データが最低ビットレートのデータでないと判定されたとき、最低ビットレート
でない記録データを現在のビットレートよりも低いビットレートに変換し、変換の結果得
られた空き容量に対応する領域に新たなデータを記録させる記録延長処理部を備えたこと
を特徴とする情報記録再生装置を提供する。
【００１８】
この構成において、所望のテレビ番組のタイマー予約が設定されたとき、当該記録媒体
の容量が残量不足であると判定され、且つ、当該記録媒体に既に記録されている全ての記
録データが最低ビットレートのデータでないと判定されたとき、最低ビットレートでない
記録データが現在のビットレートよりも低いビットレートに変換される。そして、変換の
結果得られた空き容量に対応する領域には、新たなデータが記録される。
【００１９】
この構成によれば、特に、タイマー録画予約する際に、当該記録媒体の残量が不足すれ
ば、最低ビットレートでない記録データが現在のビットレートよりも低いビットレートに
変換されるので、記録可能時間を増加させることができ、ユーザにとっては使い勝手が良
くなる。
【００２０】
請求項４の発明は、所望のテレビ番組の記録予約を行うタイマー予約機能を有し、記録
媒体としての光ディスクまたは／およびハードディスクに対して情報の記録／再生を行う
情報記録再生装置において、所望のテレビ番組のタイマー予約が設定されたとき、当該記
録媒体の容量が残量不足であると判定され、且つ、当該記録媒体に既に記録されている全
ての記録データが最低ビットレートのデータでないと判定されたとき、最低ビットレート
でない記録データを現在のビットレートよりも低いビットレートに変換し、変換の結果得
られた空き容量に対応する領域に新たなデータを記録させる第１の記録延長処理部と、前
記第１の記録延長処理部により記録延長処理を行うことが選択された場合は、記録延長処
理を行う記録データに関して現在の記録ビットレートが変換可能ビットレートよりも大き
いと判定され、且つ、空き容量が記録データの必要容量以上であると判定されたとき、当
該記録媒体の空き容量に対応する領域に新たなデータを記録させる第２の記録延長処理部
とを備えたことを特徴とする情報記録再生装置を提供する。
【００２１】
この構成において、第１の記録延長処理部では、所望のテレビ番組のタイマー予約が設
定されたとき、前記タイマー予約されたテレビ番組を記録するために必要な容量分の残量
が残量不足であると判定され、且つ、全ての記録データが最低ビットレートのデータでな
いと判定されたとき、最低ビットレートでない記録データが現在のビットレートよりも低
いビットレートに変換され、前記ビットレートの変換の結果得られた空き容量に対応する
領域には、新たなデータが記録される。
【００２２】
この構成によれば、特に、タイマー録画予約する際に、当該記録媒体の残量が不足すれ
ば、最低ビットレートでない記録データが現在のビットレートよりも低いビットレートに
変換されるので、記録可能時間を増加させることができ、ユーザにとっては使い勝手が良
くなる。
【００２３】
この構成において、第２の記録延長処理部では、前記第１の記録延長処理部により記録
延長処理を行うことが選択された場合は、記録延長処理を行う記録データに関して現在の
記録ビットレートが変換可能ビットレートよりも大きいと判定され、且つ、空き容量が記
録データの必要容量以上であると判定されたとき、当該記録媒体の空き容量に対応する領
域には、新たなデータが記録される。
【００２４】
この構成によれば、特に、タイマー録画予約する際に、前記第１の記録延長処理部によ
る記録延長処理を行うのに、記録するときの画質や音質の設定も考慮して行うことができ
るので、記録するときの画質や音質の設定も考慮して記録可能時間を増加させることがで
き、ユーザにとっては更に使い勝手が良くなる。特に、前記第１の記録延長処理部による
記録延長処理を行っても、特定のデータだけは、自動的にビットレートのレベル変換が行
われないようにプロテクトをかけることができ、また、記録品質を悪くする時の悪化する
ビットレートのレベルをユーザが決定することができ、使い勝手が向上する。
【００２５】
請求項５の発明では、請求項３の発明において、前記記録延長処理部は、所望のテレビ
番組のタイマー予約が設定されたとき、前記タイマー予約されたテレビ番組を記録するた
めに必要な容量分の残量が当該記録媒体に有るか否かを判定する残量判定手段と、この残
量判定手段により当該記録媒体の容量が残量不足であると判定されたとき、当該記録媒体
に既に記録されている全ての記録データが最低ビットレートのデータであるかを判定する
最低ビットレート判定手段と、この最低ビットレート判定手段により前記全ての記録デー
タが最低ビットレートのデータでないと判定されたとき、最低ビットレートでない記録デ
ータを現在のビットレートよりも低いビットレートに変換するビットレート変換手段と、
前記ビットレートの変換の結果得られた空き容量に対応する領域に新たなデータを記録さ
せる記録手段とを有する。
【００２６】
したがって、所望のテレビ番組のタイマー予約が設定されたとき、前記タイマー予約さ
れたテレビ番組を記録するために必要な容量分の残量が有るか否かを判定する処理、当該
記録媒体の容量が残量不足であると判定されたとき、当該記録媒体に既に記録されている
全ての記録データが最低ビットレートのデータであるかを判定する処理、前記全ての記録
データが最低ビットレートのデータでないと判定されたとき、最低ビットレートでない記
録データを現在のビットレートよりも低いビットレートに変換する処理、および前記ビッ
トレートの変換の結果得られた空き容量に対応する領域に新たなデータを記録させる処理
を、記録延長処理部で実現することが可能になる。
【００２７】
請求項６の発明では、請求項４の発明において、前記第１の記録延長処理部は、所望の
テレビ番組のタイマー予約が設定されたとき、前記タイマー予約されたテレビ番組を記録
するために必要な容量分の残量が当該記録媒体に有るか否かを判定する残量判定手段と、
この残量判定手段により当該記録媒体の容量が残量不足であると判定されたときに、当該
記録媒体に既に記録されている全ての記録データが最低ビットレートのデータであるかを
判定する最低ビットレート判定手段と、この最低ビットレート判定手段により前記全ての
記録データが最低ビットレートのデータでないと判定されたとき、最低ビットレートでな
い記録データを現在のビットレートよりも低いビットレートに変換するビットレート変換
手段と、前記ビットレートの変換の結果得られた空き容量に対応する領域に新たなデータ
を記録させる第１の記録手段とを有する。
【００２８】
したがって、所望のテレビ番組のタイマー予約が設定されたとき、前記タイマー予約さ
れたテレビ番組を記録するために必要な容量分の残量が有るか否かを判定する処理、当該
記録媒体の容量が残量不足であると判定されたときに、当該記録媒体に既に記録されてい
る全ての記録データが最低ビットレートのデータであるかを判定する処理、前記全ての記
録データが最低ビットレートのデータでないと判定されたとき、最低ビットレートでない
記録データを現在のビットレートよりも低いビットレートに変換する処理、および前記ビ
ットレートの変換の結果得られた空き容量に対応する領域に新たなデータを記録させる処
理を、第１の記録延長処理部で実現することが可能になる。
【００２９】
また、前記第２の記録延長処理部は、前記第１の記録延長処理部により記録延長処理を
行うことが選択された場合は、記録延長処理を行う記録データに関して現在の記録ビット
レートが変換可能ビットレート以下であるか否かを判定する記録ビットレート判定手段と
、この記録ビットレート判定手段により現在の記録ビットレートが変換可能ビットレート
よりも大きいと判定されたとき、当該記録媒体の空き容量が記録データの必要容量以上で
あるか否かを判定する空き容量判定手段と、この空き容量判定手段により空き容量が記録
データの必要容量以上であると判定されたとき、当該記録媒体の空き容量に対応する領域
に新たなデータを記録させる第２の記録手段と有する。
【００３０】
したがって、前記第１の記録延長処理部により記録延長処理を行うことが選択された場
合は、記録延長処理を行う記録データに関して現在の記録ビットレートが変換可能ビット
レート以下であるか否かを判定する処理、現在の記録ビットレートが変換可能ビットレー
トよりも大きいと判定されたとき、当該記録媒体の空き容量が記録データの必要容量以上
であるか否かを判定する処理、空き容量が記録データの必要容量以上であると判定された
とき、当該記録媒体の空き容量に対応する領域に新たなデータを記録させる処理を、第２
の記録延長処理部で実現することが可能になる。
【発明の効果】
【００３１】
以上のように本発明によれば、所望のテレビ番組の記録予約を行うタイマー予約機能を
有し、記録媒体としての光ディスクまたは／およびハードディスクに対して情報の記録／
再生を行う情報記録再生装置において、所望のテレビ番組のタイマー予約が設定されたと
き、前記タイマー予約されたテレビ番組を記録するために必要な容量分の残量が当該記録
媒体に有るか否かを判定する残量判定手段と、この残量判定手段により記録媒体の容量が
残量不足であると判定されたとき、当該記録媒体に既に記録されている全ての記録データ
が最低ビットレートのデータであるかを判定する最低ビットレート判定手段と、この最低
ビットレート判定手段により前記全ての記録データが最低ビットレートのデータでないと
判定されたとき、最低ビットレートでない記録データを現在のビットレートよりも低いビ
ットレートに変換するビットレート変換手段と、前記ビットレートの変換の結果得られた
空き容量に対応する領域に新たなデータを記録させる記録手段とを有する記録延長処理部
を備えたので、特に、タイマー録画予約する際に、当該記録媒体の残量が不足すれば、最
低ビットレートでない記録データが現在のビットレートよりも低いビットレートに変換さ
れ、これにより、記録可能時間を増加させることができ、ユーザにとっては使い勝手が良
くなる。
【００３２】
また、本発明によれば、所望のテレビ番組の記録予約を行うタイマー予約機能を有し、
記録媒体としての光ディスクまたは／およびハードディスクに対して情報の記録／再生を
行う情報記録再生装置において、所望のテレビ番組のタイマー予約が設定されたとき、前
記タイマー予約されたテレビ番組を記録するために必要な容量分の残量が当該記録媒体に
有るか否かを判定する残量判定手段と、この残量判定手段により記録媒体の容量が残量不
足であると判定されたときに、当該記録媒体に既に記録されている全ての記録データが最
低ビットレートのデータであるかを判定する最低ビットレート判定手段と、この最低ビッ
トレート判定手段により前記全ての記録データが最低ビットレートのデータでないと判定
されたとき、最低ビットレートでない記録データを現在のビットレートよりも低いビット
レートに変換するビットレート変換手段と、前記ビットレートの変換の結果得られた空き
容量に対応する領域に新たなデータを記録させる第１の記録手段とを有する第１の記録延
長処理部と、前記第１の記録延長処理部により記録延長処理を行うことが選択された場合
は、記録延長処理を行う記録データに関して現在の記録ビットレートが変換可能ビットレ
ート以下であるか否かを判定する記録ビットレート判定手段と、この記録ビットレート判
定手段により現在の記録ビットレートが変換可能ビットレートよりも大きいと判定された
とき、当該記録媒体の空き容量が記録データの必要容量以上であるか否かを判定する空き
容量判定手段と、この空き容量判定手段により空き容量が記録データの必要容量以上であ
ると判定されたとき、当該記録媒体の空き容量に対応する領域に新たなデータを記録させ
る第２の記録手段と有する第２の記録延長処理部とを備えたので、特に、タイマー録画予
約する際に、当該記録媒体の残量が不足すれば、最低ビットレートでない記録データが現
在のビットレートよりも低いビットレートに変換され、これにより、記録可能時間を増加
させることができ、ユーザにとっては使い勝手が良くなる。また、特に、タイマー録画予
約する際に、前記第１の記録延長処理部による記録延長処理を行うのに、記録するときの
画質や音質の設定も考慮して行うことができるので、記録するときの画質や音質の設定も
考慮して記録可能時間を増加させることができ、ユーザにとっては更に使い勝手が良くな
る。特に、前記第１の記録延長処理部による記録延長処理を行っても、特定のデータだけ
は、自動的にビットレートのレベル変換が行われないようにプロテクトをかけることがで
き、また、記録品質を悪くする時の悪化するビットレートのレベルをユーザが決定するこ
とができ、使い勝手が向上する。
【００３３】
また、本発明によれば、所望のテレビ番組の記録予約を行うタイマー予約機能を有し、
記録媒体としての光ディスクまたは／およびハードディスクに対して情報の記録／再生を
行う情報記録再生装置において、所望のテレビ番組のタイマー予約が設定されたとき、当
該記録媒体の容量が残量不足であると判定され、且つ、当該記録媒体に既に記録されてい
る全ての記録データが最低ビットレートのデータでないと判定されたとき、最低ビットレ
ートでない記録データを現在のビットレートよりも低いビットレートに変換し、変換の結
果得られた空き容量に対応する領域に新たなデータを記録させる記録延長処理部を備えた
ので、特にタイマー録画予約する際に、当該記録媒体の残量が不足すれば、最低ビットレ
ートでない記録データが現在のビットレートよりも低いビットレートに変換され、これに
より、記録可能時間を増加させることができ、ユーザにとっては使い勝手が良くなる。
【００３４】
また、本発明によれば、所望のテレビ番組の記録予約を行うタイマー予約機能を有し、
記録媒体としての光ディスクまたは／およびハードディスクに対して情報の記録／再生を
行う情報記録再生装置において、所望のテレビ番組のタイマー予約が設定されたとき、当
該記録媒体の容量が残量不足であると判定され、且つ、当該記録媒体に既に記録されてい
る全ての記録データが最低ビットレートのデータでないと判定されたとき、最低ビットレ
ートでない記録データを現在のビットレートよりも低いビットレートに変換し、変換の結
果得られた空き容量に対応する領域に新たなデータを記録させる第１の記録延長処理部と
、前記第１の記録延長処理部により記録延長処理を行うことが選択された場合は、記録延
長処理を行う記録データに関して現在の記録ビットレートが変換可能ビットレートよりも
大きいと判定され、且つ、空き容量が記録データの必要容量以上であると判定されたとき
、当該記録媒体の空き容量に対応する領域に新たなデータを記録させる第２の記録延長処
理部とを備えたので、特に、タイマー録画予約する際に、当該記録媒体の残量が不足すれ
ば、最低ビットレートでない記録データが現在のビットレートよりも低いビットレートに
変換され、これにより、記録可能時間を増加させることができ、ユーザにとっては使い勝
手が良くなる。また、特に、タイマー録画予約する際に、前記第１の記録延長処理部によ
る記録延長処理を行うのに、記録するときの画質や音質の設定も考慮して行うことができ
るので、記録するときの画質や音質の設定も考慮して記録可能時間を増加させることがで
き、ユーザにとっては更に使い勝手が良くなる。特に、前記第１の記録延長処理部による
記録延長処理を行っても、特定のデータだけは、自動的にビットレートのレベル変換が行
われないようにプロテクトをかけることができ、また、記録品質を悪くする時の悪化する
ビットレートのレベルをユーザが決定することができ、使い勝手が向上する。
【発明を実施するための最良の形態】
【００３５】
以下、添付図面を参照しつつ、本発明の実施の形態について説明する。図１は本発明の
一実施形態に係る情報記録再生装置としてのハードディスク付きのＤＶＤレコーダの構成
を示すブロック図である。なお、以下で説明する実施形態では、ハードディスク付きのＤ
ＶＤレコーダについて説明するが、ＤＶＤレコーダやハードディスクレコーダについても
同様な処理を行うことにより、光ディスクやハードディスクの空き容量を増加させること
ができる。
【００３６】
図１において、このハードディスク付きのＤＶＤレコーダは、テレビジョン放送信号を
受信するアンテナ１に接続されたチューナー２と、このチューナー２で選局された放送信
号をデジタル処理してＤＶＤ（デジタル・バーサタイル・ディスク）などの光ディスク５
またはハードディスク８に記録できる形態の放送データに変換して出力するデータ処理回
路３と、このデータ処理回路３からの放送データをデコード化して映像音声信号を出力す
るデコード回路４と、データ処理回路３からの放送データを入力して映像音声情報として
光ディスク５に記録したり、ハードディスク再生部１０から再生された映像音声情報を記
録したりする光ディスク記録部６と、データ処理回路３からの放送データを入力して映像
音声情報としてハードディスク８に記録したり、光ディスク再生部７から再生された映像
音声情報を記録したりするハードディスク記録部９とを備えている。
【００３７】
また、このＤＶＤレコーダは、光ディスク５に記録された映像音声情報を再生する前記
光ディスク再生部７と、ハードディスク８に記録された映像音声情報を再生する前記ハー
ドディスク再生部１０と、システム全体を制御するシステムコントローラ１３と、このシ
ステムコントローラ１３の制御や処理に必要なプログラムやデータを記憶するフラッシュ
メモリ１２と、タイマー予約機能を実現するためのタイマー１４と、システムコントロー
ラ１３に対して赤外線による操作信号を送信するリモコン１１とを備えている。
【００３８】
システムコントローラ１３は、所望のテレビ番組のタイマー予約が設定されたとき、前
記タイマー予約されたテレビ番組を記録するために必要な容量分の残量が光ディスク５ま
たはハードディスク８に有るか否かを判定する残量判定手段１５１と、この残量判定手段
１５１により光ディスク５またはハードディスク８の容量が残量不足であると判定された
ときに、光ディスク５またはハードディスク８に既に記録されている全ての記録データが
最低ビットレートのデータであるかを判定する最低ビットレート判定手段１５２と、この
最低ビットレート判定手段１５２により前記全ての記録データが最低ビットレートのデー
タでないと判定されたとき、最低ビットレートでない記録データを現在のビットレートよ
りも低いビットレートに変換するビットレート変換手段１５３と、前記ビットレートの変
換の結果得られた光ディスク５またはハードディスク８の空き容量に対応する領域に新た
なデータを記録させる第１の記録手段１５４とを有する第１の記録延長処理部１５を備え
ている。
【００３９】
また、システムコントローラ１３は、前記第１の記録延長処理部１５により記録延長処
理を行うことが選択された場合は、記録延長処理を行う記録データに関して現在の記録ビ
ットレートが変換可能ビットレート以下であるか否かを判定する記録ビットレート判定手
段１６１と、この記録ビットレート判定手段１６１により現在の記録ビットレートが変換
可能ビットレートよりも大きいと判定されたとき、光ディスク５またはハードディスク８
の空き容量が記録データの必要容量以上であるか否かを判定する空き容量判定手段１６２
と、この空き容量判定手段１６２により空き容量が記録データの必要容量以上であると判
定されたとき、前記空き容量に対応する領域に新たなデータを記録させる第２の記録手段
１６３と有する第２の記録延長処理部１６を備えている。
【００４０】
図２は本実施形態において第１の記録延長処理部１５の処理を説明するためのフローチ
ャートである。このフローチャートを参照して第１の記録延長処理部１５の処理について
説明する。なお、このフローチャートにおいて、録画は、映像データおよび音声データを
記録することを意味する。
【００４１】
第１の記録延長処理部１５では、ユーザは、例えば、光ディスク５に所望のテレビ番組
を予約録画したいため、光ディスク５を装填し、リモコン１１を操作してタイマー予約が
設定されたとき（ステップＳ１）、残量判定手段１５１は、光ディスク再生部７を駆動さ
せて光ディスク５からディスク情報を読み出し、前記タイマー予約されたテレビ番組を録
画するために必要な容量分のディスク残量が有るか否かを判定する。即ち、録画前（録画
直前ではなく十分時間を持たした録画前）に光ディスク５の容量の残量を確認して、残量
が有るか、残量不足であるかを判定する（ステップＳ２）。
【００４２】
そして、前記タイマー予約されたテレビ番組を録画するために必要な容量分の残量が残
量不足であると残量判定手段１５１により判定されたとき、光ディスク５に既に録画され
ている全てのデータが、最低ビットレート（最低画質）のデータであるかを最低ビットレ
ート判定手段１５２により判定する（ステップＳ５）。最低ビットレート判定手段１５２
により全ての録画データが最低ビットレートのデータでないと判定されたとき、最低ビッ
トレートでない録画データが現在のビットレートよりも低いビットレートにビットレート
変換手段１５３により変換され（ステップＳ６）、前記ビットレートの変換の結果得られ
た空き容量に対応する領域には、新たなデータが第１の記録手段１５４により録画される
（ステップＳ７）。
【００４３】
ステップＳ２において、残量有りと判定されたときは、通常通りの録画を行い（ステッ
プＳ３）、タイマー予約の残りが有れば（ステップＳ４）、ステップＳ２の処理に戻り、
タイマー予約の残りが無ければ（ステップＳ４）、本処理は終了する。また、ステップＳ
５において、全ての録画データが最小ビットレートであると判定されたとき、あるいはス
テップＳ７において録画された後、タイマー予約の残りが有れば（ステップＳ４）、ステ
ップＳ２の処理に戻り、タイマー予約の残りが無ければ（ステップＳ４）、本処理は終了
する。
【００４４】
この第１の記録延長処理部１５の処理によれば、特に、タイマー録画予約する際に、当
該記録媒体の残量が不足すれば、最低ビットレートでない記録データが現在のビットレー
トよりも低いビットレートに変換されるので、記録可能時間を増加させることができ、ユ
ーザにとっては使い勝手が良くなる。
【００４５】
図３は本実施形態において第１の記録延長処理部１５および第２の記録延長処理部１６
の処理を説明するためのフローチャートである。このフローチャートを参照して第１の記
録延長処理部１５および第２の記録延長処理部１６の処理について説明する。なお、この
フローチャートにおいも、録画は、映像データおよび音声データを記録することを意味す
る。
【００４６】
第１の記録延長処理部１５では、ユーザは、例えば、光ディスク５に所望のテレビ番組
を予約録画したいため、光ディスク５を装填し、リモコン１１を操作してタイマー予約が
設定されたとき（ステップＮ１）、残量判定手段１５１は、光ディスク再生部７を駆動さ
せて光ディスク５からディスク情報を読み出し、前記タイマー予約されたテレビ番組を録
画するために必要な容量分のディスク残量が有るか否かを判定する。即ち、録画前（録画
直前ではなく十分時間を持たした録画前）に光ディスク５の容量の残量を確認して、残量
が有るか、残量不足であるかを判定する（ステップＮ２）。
【００４７】
そして、前記タイマー予約されたテレビ番組を録画するために必要な容量分の残量が残
量不足であると残量判定手段１５１により判定されたとき、前記第１の記録媒体延長処理
部１５の処理を実行させるか、実行させないかを、ユーザにより選択させる（ステップＮ
５）。即ち、セットアップ情報をテレビ画面に表示させ、そのセットアップ情報のうち、
録画延長機能をオンすることにより、第１の記録延長処理部１５による録画延長処理が実
行され、録画延長機能をオフすることにより、第１の記録延長処理部１５による録画延長
処理は実行されないので、録画延長機能についてオンまたはオフを選択する。
【００４８】
録画延長機能についてオンを選択すると、録画した個別のデータについて全て録画延長
機能をオフするか、個別のデータのうち１つ以上のデータについて録画延長機能をオンす
るかを選択する（ステップＮ６）。そして、個別のデータのうち１つ以上のデータについ
ての録画延長機能のオンを選択すると、録画延長機能がオンになっているデータに関して
記録ビットレートと変換可能ビットレートを比較する（ステップＮ７）。即ち、記録ビッ
トレート判定手段１６１は、録画延長処理を行う録画データに関して現在の記録ビットレ
ートが変換可能ビットレート以下であるか否かを判定する。
【００４９】
記録ビットレート判定手段１６１により、現在の記録ビットレートが変換可能ビットレ
ートよりも大きいと判定されたとき（ステップＮ７）、空き容量判定手段１６２は、空き
容量を確認して、光ディスク５の空き容量が録画データの必要容量以上であるか否かを判
定する（ステップＮ８）。ステップＮ７およびステップＮ８の処理は、光ディスク５の空
き容量が録画データの必要容量以上になるまで繰り返される。そして、空き容量判定手段
１６２により空き容量が記録データの必要容量以上であると判定されたとき、光ディスク
５の空き容量に対応する領域には新たなデータが第２の記録手段１６３により録画（記録
）される（ステップＮ９）。
【００５０】
ステップＮ２において、ディスク残量の有無を確認してディスク残量が有りと判定され
たときは、通常通りの録画を行い（ステップＮ３）、タイマー予約の残りが有れば（ステ
ップＮ４）、ステップＮ２の処理に戻り、タイマー予約の残りが無ければ（ステップＮ４
）、本処理は終了する。また、ステップＮ５において、録画延長機能をオフしたとき、あ
るいはステップＮ６において、全て録画延長機能をオフしたとき、あるいはステップＮ７
において、現在の記録ビットレートが変換可能ビットレートよりも大きいと判定されたと
き、あるいはステップＮ９において、録画された後、タイマー予約の残りが有れば（ステ
ップＮ４）、ステップＮ２の処理に戻り、タイマー予約の残りが無ければ（ステップＮ４
）、本処理は終了する。
【００５１】
この第２の記録延長処理部１６の処理によれば、特に、タイマー録画予約する際に、第
１の記録延長処理部１５による記録延長処理を行うのに、記録するときの画質や音質の設
定も考慮して行うことができるので、記録するときの画質や音質の設定も考慮して記録可
能時間を増加させることができ、ユーザにとっては更に使い勝手が良くなる。特に、前記
第１の記録延長処理部１５による記録延長処理を行っても、特定のデータだけは、自動的
にビットレートのレベル変換が行われないようにプロテクトをかけることができ、また、
記録品質を悪くする時の悪化するビットレートのレベルをユーザが決定することができ、
使い勝手が向上する。
【００５２】
なお、以上説明した実施形態では、記録する映像データのビットレートを小さくする方
向に変更して、光ディスクの空き容量を増加させたが、記録する音声データのビットレー
トも小さくする方向に変更して光ディスクの空き容量を増加させても良い。ただ、音声デ
ータは、映像データに比べ、データ量が少ないので、あまり効果が期待できないが、例え
ば、リニアＰＣＭの音声信号をドルビーの音声信号に圧縮するとすれば、多少は空き容量
の確保に貢献できる。
【図面の簡単な説明】
【００５３】
【図１】本発明の一実施形態に係る情報記録再生装置としてのハードディスク付きのＤＶＤレコーダの構成を示すブロック図である。
【図２】前記実施形態において第１の記録延長処理部および第２の記録延長処理部の処理を説明するためのフローチャートである。
【図３】前記実施形態において第２の記録延長処理部の処理を説明するためのフローチャートである。
【符号の説明】
【００５４】
５    光ディスク
８    ハードディスク
１５    第１の記録延長処理部
１６    第２の記録延長処理部
１５１    残量判定手段
１５２    最低ビットレート判定手段
１５３    ビットレート変換手段
１５４    第１の記録手段
１６１    記録ビットレート判定手段
１６２    空き容量判定手段
１６３    第２の記録手段
【図１】
2006236541.tif 000003
【図２】
2006236541.tif 000004
【図３】
2006236541.tif 000005